(57)【要約】      （修正有）【課題】おもりを載置する作業を容易に行うことができるエレベータ用つり合いおもり枠及びこのエレベータ用つり合いおもり枠を備えるエレベータを提供する。【解決手段】エレベータ用つり合いおもり枠７は、床板９と、Ｌ字形に形成され、Ｌ字形のへこみ側を対向させて面対象となる向きに床板９に立設される一対の側板１０と、側板１０に着脱可能に取付けられ、取付けられることによって側板１０とによりコの字形となる取付片１１とを備える。【選択図】図３
2007062904.tif 000002
【特許請求の範囲】
【請求項１】
床板と、
Ｌ字形に形成され、Ｌ字形のへこみ側を対向させて面対象となる向きに前記床板に立設される一対の側板と、
前記側板に着脱可能に取付けられ、取付けられることによって前記側板とによりコの字形となる取付片と、
を備えることを特徴とするエレベータ用つり合いおもり枠。
【請求項２】
床板と、
Ｌ字形に形成され、Ｌ字形のへこみ側を対向させて面対象となる向きに前記床板に立設される一対の側板と、
前記側板の端部にヒンジにより取付けられ、前記側板とによりコの字形となる保持位置と、前記側板のへこみ側を開放する開放位置とに回動可能な回動片と、
を備えることを特徴とするエレベータ用つり合いおもり枠。
【請求項３】
床板と、
コの字形に形成されてコの字形のへこみ側を対向させて前記床板に立設され、前記床板に対する立設側の反対側に前記床板と平行な向きにおもりを挿入可能なおもり挿入部が形成された一対の側板と、
一対の前記側板の間に配置され、前記床板に対して接離する方向に移動可能なおもり載置部と、
前記おもり載置部を前記床板から離反する方向に付勢するバネと、
を備えることを特徴とするエレベータ用つり合いおもり枠。
【請求項４】
前記床板に対する接離方向への前記おもり載置部の移動をロックするロック機構を更に備えることを特徴とする請求項３記載のエレベータ用つり合いおもり枠。
【請求項５】
床板と、
コの字形に形成されてコの字形のへこみ側を対向させて前記床板に立設され、前記床板に対する立設側の反対側に前記床板と平行な向きにおもりを挿入可能なおもり挿入部が形成された一対の側板と、
一対の前記側板の間に配置され、前記床板に対して接離する方向に移動可能なおもり載置部と、
前記おもり載置部を貫通して前記床板に立設されるネジ棒と、
前記床板と前記おもり載置部との間に配置されて前記ネジ棒に螺合され、前記おもり載置部の前記床板に対向する面に当接する外形寸法を有する回転操作体と、
を備えることを特徴とするエレベータ用つり合いおもり枠。
【請求項６】
前記請求項１ないし５のいずれか一記載のエレベータ用つり合いおもり枠を備えることを特徴とするエレベータ。
【発明の詳細な説明】
【技術分野】
【０００１】
本発明は、エレベータ用つり合いおもり枠及びエレベータに関し、特に、つり合いおもりを載置する作業を容易に行うことができるエレベータ用つり合いおもり枠及びこのエレベータ用つり合いおもり枠を備えるエレベータに関する。
【背景技術】
【０００２】
摩擦駆動方式のエレベータには、下記特許文献１に記載されているようなエレベータ用つり合いおもり装置が用いられている。このエレベータ用つり合いおもり装置は、図１３ないし図１５に示すように、エレベータ用つり合いおもり枠１００と、エレベータ用つり合いおもり枠１００に載置される複数枚のおもり１０１と、つり合いおもりシーブ１０２とを有している。つり合いおもりシーブ１０２には、エレベータ乗りかご（図示せず）を昇降させるためのロープ１０３が巻き掛けられる。
【０００３】
エレベータ用つり合いおもり枠１００は、コの字形に折り曲げ形成されてコの字形のへこみ側を対向させて配置された一対の側板１０４と、一対の側板１０４の下端部に溶接等により連結された床板１０５とを有している。側板１０４の上端部には取付枠１０６が連結され、この取付枠１０６につり合いおもりシーブ１０２が取付けられている。
【０００４】
おもり１０１は、図１４において仮想線で示すように長方形の板形状に形成され、おもり１０１の長手方向の幅寸法“Ａ”は、一対の側板１０４のコの字形のへこみ側縁部の対向幅寸法“Ｂ”より大きく設定されている。これらのおもり１０１がエレベータ用つり合いおもり枠１００に載置されたとき、おもり１０１の長手方向の両端側が一対の側板１０４の対向するコの字形のへこみ部に嵌合される。
【０００５】
このため、おもり１０１をエレベータ用つり合いおもり枠１００に載置する場合は、図１３に示すようにおもり１０１を斜めに傾けて対向する一対の側板１０４の間に挿入し、挿入した後におもり１０１を水平向きに戻しながら下ろしている。
【０００６】
エレベータ用つり合いおもり枠１００に載置されたおもり１０１の枚数が増えるにつれ、載置された最上位のおもり１０１と取付枠１０６との間隔が次第に小さくなる。そして、この間隔が或る値に達すると、斜めに傾けたおもり１０１を一対の側板１０４の間に挿入できなくなり、載置された最上位のおもり１０１と取付枠１０６との間におもり１０１を載置することができないデッドスペース“Ｓ”が発生する。
【０００７】
そこで、図１５に示すように、幅寸法“Ａ”のおもり１０１の上に、幅寸法“Ｃ（ＣはＡの１／２）”の小型のおもり１０７を載置している。小型のおもり１０７は、斜めに傾けることなく水平向きのまま一対の側板１０４の間に挿入することができるので、図１３に示したデッドスペース“Ｓ”の発生を防止することができる。
【特許文献１】特開２０００−３０２３５９号公報
【発明の開示】
【発明が解決しようとする課題】
【０００８】
しかしながら、前述のエレベータ用つり合いおもり枠１００においては、以下の点について配慮がなされていない。
【０００９】
おもり１０１をエレベータ用つり合いおもり枠１００に載置する際に、おもり１０１を斜めに傾けて一対の側板１０４の間に挿入し、挿入後におもり１０１を水平向きに戻しながら下ろすため、おもり１０１を載置する作業に手間がかかっている。また、おもり１０１を斜めに傾けて挿入する過程、及び、挿入後に水平に戻しながら下ろす過程で、手を滑らせておもり１０１を落とす場合がある。
【００１０】
また、デッドスペース“Ｓ”の発生を防止するためには、サイズの異なる２種類のおもり１０１、１０７を準備しなければならない。
【００１１】
本発明はこのような課題を解決するためになされたもので、その目的は、おもりをエレベータ用つり合いおもり枠に載置する作業を容易に行えるエレベータ用つり合いおもり枠及びこのエレベータ用つり合いおもり枠を備えたエレベータを提供することである。
【課題を解決するための手段】
【００１２】
本発明の実施の形態に係る第１の特徴は、エレベータ用つり合いおもり枠において、床板と、Ｌ字形に形成され、Ｌ字形のへこみ側を対向させて面対象となる向きに前記床板に立設される一対の側板と、前記側板に着脱可能に取付けられ、取付けられることによって前記側板とによりコの字形となる取付片と、を備える。
【００１３】
本発明の実施の形態に係る第２の特徴は、エレベータ用つり合いおもり枠において、床板と、Ｌ字形に形成され、Ｌ字形のへこみ側を対向させて面対象となる向きに前記床板に立設される一対の側板と、前記側板の端部にヒンジにより取付けられ、前記側板とによりコの字形となる保持位置と、前記側板のへこみ側を開放する開放位置とに回動可能な回動片と、を備える。
【００１４】
本発明の実施の形態に係る第３の特徴は、エレベータ用つり合いおもり枠において、床板と、コの字形に形成されてコの字形のへこみ側を対向させて前記床板に立設され、前記床板に対する立設側の反対側に前記床板と平行な向きにおもりを挿入可能なおもり挿入部が形成された一対の側板と、一対の前記側板の間に配置され、前記床板に対して接離する方向に移動可能なおもり載置部と、前記おもり載置部を前記床板から離反する方向に付勢するバネと、を備える。
【００１５】
本発明の実施の形態に係る第４の特徴は、エレベータ用つり合いおもり枠において、床板と、コの字形に形成されてコの字形のへこみ側を対向させて前記床板に立設され、前記床板に対する立設側の反対側に前記床板と平行な向きにおもりを挿入可能なおもり挿入部が形成された一対の側板と、一対の前記側板の間に配置され、前記床板に対して接離する方向に移動可能なおもり載置部と、前記おもり載置部を貫通して前記床板に立設されるネジ棒と、前記床板と前記おもり載置部との間に配置されて前記ネジ棒に螺合され、前記おもり載置部の前記床板に対向する面に当接する外形寸法を有する回転操作体と、を備える。
【００１６】
本発明の実施の形態に係る第５の特徴は、エレベータにおいて、第１の特徴ないし第４の特徴のいずれかに係るエレベータ用つり合いおもり枠を備える。
【発明の効果】
【００１７】
本発明によれば、エレベータ用つり合いおもり枠におもりを載置する作業を、おもりを斜めに傾けて挿入したり、挿入したおもりを水平向きに戻しながら下ろす作業を伴わずに行うことができ、作業能率の向上を図ることができ、及び、作業の安全性を高めることができる。
【発明を実施するための最良の形態】
【００１８】
以下、本発明の実施の形態を図面を用いて説明する。
【００１９】
（第１の実施の形態）
本発明の第１の実施の形態に係るエレベータ用つり合いおもり枠を備えたエレベータは、図１に示すように、昇降路内に昇降可能に設置されるエレベータ乗りかご１とエレベータ用つり合いおもり装置２とを有している。エレベータ乗りかご１に取付けられたかごシーブ３と、エレベータ用つり合いおもり装置２の一部であるつり合いおもりシーブ４と、巻上装置の駆動シーブ５とにロープ６が巻き掛けられている。巻上装置により駆動シーブ５が回転駆動されることにより、エレベータ乗りかご１とエレベータ用つり合いおもり装置２とが逆方向に昇降される。
【００２０】
エレベータ用つり合いおもり装置２は、図２及び図３に示すように、エレベータ用つり合いおもり枠７と、エレベータ用つり合いおもり枠７に載置される複数枚のおもり８と、つり合いおもりシーブ４とを有している。
【００２１】
エレベータ用つり合いおもり枠７は、床板９と、Ｌ字形に形成されてＬ字形のへこみ側を対向させて面対象となる向きに床板９に立設される一対の側板１０と、側板１０に着脱可能に取付けられ、取付けられることによって側板１０とによりコの字形となる取付片１１とを備えている。
【００２２】
床板９は、平面視形状が長方形に形成された板状部材であり、その長手方向の両端部に一対の側板１０が立設されている。
【００２３】
側板１０は、直交する向きに折り曲げられた長片１０ａと短片１０ｂとからなる平面視形状がＬ字形に形成された長尺状部材であり、その下端部が床板９の長手方向の両端部に溶接されている。一対の側板１０は、Ｌ字形のへこみ側を対向させて配置され、及び、短片１０ｂ同士を向かい合わせた面対象となる向きに配置されている。
【００２４】
取付片１１は、直交する向きに折り曲げられた２つの片１１ａ、１１ｂからなる平面視形状がくの字形に形成された長尺状部材であり、一方の片１１ａを側板１０の長片１０ａの先端側に重ね合わせた状態でネジ１２により着脱可能にネジ止めされている。側板１０に取付片１１がネジ止めされることにより、側板１０と取付片１１とは平面視形状がコの字形となる。図４は、側板１０から取付片１１を取外し、取付片１１を取外すことにより開放された長片１０ａの先端側からエレベータ用つり合いおもり枠７上におもり８を載置する状態を示している。
【００２５】
おもり８は、図４に示すように長方形の板形状に形成され、側板１０に取付片１１をネジ止めすることにより形成される一対のコの字形部材の間に収納される外形寸法に形成されている。また、個々のおもり８の重量は、重り８をエレベータ用つり合いおもり枠７に載置する作業を行う作業員が手でもって運ぶことができる範囲に設定されている。
【００２６】
側板１０の上端部には取付枠１３がネジ止めされ、この取付枠１３につり合いおもりシーブ４が取付けられている。
【００２７】
このような構成において、エレベータ用つり合いおもり枠７におもり８を載置する場合は、図４に示すように側板１０から取付片１１を取外し、側板１０の長片１０ａの先端側を開放する。
【００２８】
これにより、水平向きにしたおもり８を、長片１０ａの先端側から一対の側板１０の間に挿入することができる。しかも、挿入する高さ位置を、既に載置されている最上位のおもり８の上側となる位置に順次変更することができる。このため、エレベータ用つり合いおもり枠７におもり８を載置する際には、載置する高さ位置に水平向きに位置させたおもり８を、そのまま一対の側板１０の間に挿入するだけでよく、おもり８を斜めに傾けて側板１０の間に挿入したり、傾けて挿入したおもり８を水平向きに戻しながら下ろすという作業が不要となる。したがって、エレベータ用つり合いおもり枠７におもり８を載置する作業の作業能率を向上させることができ、また、載置する作業の途中で手を滑らせておもり８を落とすという事故の発生を防止することができる。
【００２９】
一対の側板１０の間に必要な枚数のおもり８を載置した後は、側板１０に取付片１１をネジ止めする。側板１０に取付片１１をネジ止めすることにより、おもり８の長手方向の両端部は、側板１０と取付片１１とにより形成されるコの字形のへこみ部に嵌合されて両端保持状態となり、おもり８はエレベータ用つり合いおもり枠７に安定して保持される。
【００３０】
なお、第１の実施の形態においては、平面視形状がくの字形に形成された取付片１１を例に挙げて説明したが、取付片１１の形状はくの字形に限られるものではなく、Ｌ字形の側板１０に取付けることによりコの字形となる形状であればよく、例えば、平板状の部材であってもよい。
【００３１】
（第２の実施の形態）
本発明の第２の実施の形態に係るエレベータ用つり合いおもり枠の構造を、図５ないし図７に基づいて説明する。なお、第２の実施の形態及びこれ以降の実施の形態において、既に説明した実施の形態における構成要素と同じ構成要素には同じ符号を付し、重複する説明は省略する。
【００３２】
第２の実施の形態に係るエレベータ用つり合いおもり枠２１は、床板９と、Ｌ字形に形成されてＬ字形のへこみ側を対向させて面対象となる向きに床板９に立設される一対の側板１０と、側板１０の端部にヒンジ２２により取付けられた回動片２３と、回動片固定用プレート２４とを備えている。
【００３３】
回動片２３は、平板状の長尺状部材であり、側板１０の長片１０ａの先端部にヒンジ２２により回動可能に取付けられている。この回動片２３は、図６において実線で示すように、又は、図７において仮想線で示すように、側板１０とによりコの字形となる保持位置と、図７において実線で示すように側板１０のへこみ側を開放する開放位置とに回動可能に設けられている。開放位置に回動した回動片２３は、一対の側板１０の間におもり８を水平向きにして挿入する場合に、おもり８に干渉しない位置に位置する。
【００３４】
回動片固定用プレート２４は、一対の回動片２３を保持位置で固定するための板状部材である。回動片固定用プレート２４は、図５及び図６に示すように保持位置に回動した一対の回動片２３に跨るように位置付けられ、ボルト又はネジ等の締結具２５により着脱可能に連結される。一対の回動片２３に跨るように一つの回動片固定用プレート２４が連結されることにより、一対の回動片２３は回動動作を規制され、回動片２３は保持位置で位置固定となる。
【００３５】
このような構成において、エレベータ用つり合いおもり枠２１におもり８を載置する場合は、回動片固定用プレート２４を回動片２３から取外し、回動片２３を図７の実線で示す開放位置に回動させ、側板１０の長片１０ａの先端側を開放する。
【００３６】
これにより、水平向きにしたおもり８を、長片１０ａの先端側から一対の側板１０の間に挿入することができる。しかも、既に載置されている最上位のおもり８の上側となる位置に次々と挿入することができる。このため、エレベータ用つり合いおもり枠２１におもり８を載置する際には、載置する高さ位置に水平向きに位置させたおもり８を、そのまま一対の側板１０の間に挿入するだけでよく、おもり８を斜めに傾けて側板１０の間に挿入したり、傾けて挿入したおもり８を水平向きに戻しながら下ろすという作業が不要となる。したがって、エレベータ用つり合いおもり枠７におもり８を載置する作業の作業能率を向上させることができ、また、載置する作業の途中で手を滑らせておもり８を落とすという事故の発生を防止することができる。
【００３７】
一対の側板１０の間に必要な枚数のおもり８を載置した後は、一対の回動片２３をそれぞれ保持位置に回動させ、保持位置に位置する一対の回動片２３に回動片固定用プレート２４を連結する。これにより、おもり８の長手方向の両端部は、側板１０と回動片２３とにより形成されるコの字形のへこみ部に嵌合されて両端保持状態となり、おもり８はエレベータ用つり合いおもり枠２１に安定して保持される。
【００３８】
（第３の実施の形態）
本発明の第３の実施の形態に係るエレベータ用つり合いおもり枠の構造を、図８及び図９に基づいて説明する。
【００３９】
第３の実施の形態に係るエレベータ用つり合いおもり枠３１は、床板９と、コの字形に形成されてコの字形のへこみ側を対向させて床板９に立設された一対の側板３２と、一対の側板３２の間に配置されて床板９に対して接離する方向に移動可能なおもり載置部３３と、おもり載置部３３を床板９から離反する方向に付勢するバネ３４とを備えている。
【００４０】
側板３２は、平面視形状がコの字形に折り曲げ形成された長尺状部材であり、その下端部が床板９の長手方向の両端部に溶接されている。一対の側板３２は、コの字形のへこみ側を対向させて配置され、エレベータ用つり合いおもり枠３１に載置されるおもり８は、長手方向の両端部を側板３２のコの字形のへこみ部に嵌合されて両端保持状態となる。
【００４１】
一対の側板３２の上端側には、一対の側板３２の間へ床板９と平行な向きにおもり８を挿入可能なおもり挿入部３５が形成されている。このおもり挿入部３５は、側板３２の一部を、おもり８の厚み寸法より僅かに大な寸法に、かつ、おもり８の長手方向の幅寸法より僅かに大きな寸法に切り欠くことにより形成されている。
【００４２】
おもり載置部３３は、一対の側板３２の間に位置して床板９に対して接離する方向に移動可能な寸法に形成された板状部材である。エレベータ用つり合いおもり枠３１に載置されるおもり８は、おもり載置部３３の上に順次載置される。
【００４３】
バネ３４は、一端が床板９に連結され、他端がおもり載置部３３に連結されている。バネ３４のバネ定数は、おもり載置部３３におもり８が載置されていないときに図８に示すようにおもり載置部３３がおもり挿入部３５の位置より僅かに下側に位置し、おもり載置部３３におもり８が載置されるごとに載置されたおもり８の厚み寸法と略同じ寸法ずつおもり載置部３３が床板９に近付く方向に移動する数値に設定されている。これにより、おもり挿入部３５から挿入したおもり８が、おもり載置部３３又は最上位の他のおもり８の上に載置される高さ位置は、常に一定となる。
【００４４】
このような構成において、エレベータ用つり合いおもり枠３１におもり８を載置する場合は、水平向きにしたおもり８をおもり挿入部３５から挿入する。一枚目のおもり８を挿入する際には、バネ３４に付勢されて一対の側板３２の間を床板９に対して接離する方向に移動可能なおもり載置部３３は、図８に示すように、おもり挿入部３５の位置より僅かに下側に位置している。このため、おもり８をおもり挿入部３５から挿入すると、おもり挿入部３５から挿入されたおもり８は、挿入後にそのおもり８を下げるという作業を行うことなくおもり載置部３３に載置される。
【００４５】
一枚目のおもり８がおもり載置部３３に載置されると、おもり載置部３３は載置されたおもり８の重量に対応して下方（床板９側）へ移動する。このときの移動寸法は、おもり８の厚み寸法と略同じとなるようにバネ３４のバネ定数が設定されているので、おもり載置部３３に載置された一枚目のおもり８の上面部が、おもり挿入部３５の位置より僅かに下側に位置する。このため、二枚目のおもり８をエレベータ用つり合いおもり枠３１に載置する場合に、二枚目のおもり８をおもり挿入部３５から挿入すると、二枚目のおもり８が一枚目のおもり８の上に載置される。二枚目のおもり８が載置されると、その分おもり載置部３３が下方へ移動し、おもり載置部３３に載置された二枚目のおもり８の上面部がおもり挿入部３５の位置より僅かに下側に位置する。
【００４６】
エレベータ用つり合いおもり枠３１におもり８が載置されるごとにおもり載置部３３が載置されたおもり８の厚み寸法分ずつ下方へ移動するため、おもり挿入部３５から挿入されたおもり８が載置される位置は、常におもり挿入部３５の位置より僅かに下側となる。このため、エレベータつり合いおもり枠３１におもり８を載置する場合に、一対の側板３２の間に水平向きにおもり８を挿入するだけでよく、挿入したおもり８を下ろすという作業が不要となる。したがって、エレベータ用つり合いおもり枠３１におもり８を載置する作業の作業能率を向上させることができ、また、載置する作業の途中で手を滑らせておもり８を落とすという事故の発生を防止することができる。
【００４７】
おもり挿入部３５から必要な枚数のおもり８を挿入することにより、エレベータ用つり合いおもり枠３１へのおもり８の載置作業が終了する。載置されたおもり８は、その長手方向の両端部が側板３２のコの字形のへこみ部に嵌合されて両端保持状態となり、おもり８はエレベータ用つり合いおもり枠３１に安定して保持される。
【００４８】
（第４の実施の形態）
本発明の第４の実施の形態に係るエレベータ用つり合いおもり枠の構造を、図１０に基づいて説明する。第４の実施の形態に係るエレベータ用つり合いおもり枠４１の基本的な構造は、第３の実施の形態に係るエレベータ用つり合いおもり枠３１と同じであり、おもり載置部３３がバネ３４の弾性により床板９に対して接離する方向に移動することをロックするロック機構４２が追加されている点が異なる。
【００４９】
ロック機構４２は、一対の側板３２を跨ぐ位置であっておもり載置部３３に対して前後方向で重なる位置に位置付けられる載置部固定プレート４３と、載置部固定プレート４３と側板３２とおもり載置部３３とを連結するボルト又はネジ等の締結具４４とにより構成されている。側板３２には、締結具４４を挿通するための複数個の挿通穴（図示せず）が形成されている。
【００５０】
このような構成において、側板３２の取付穴を挿通させた締結具４４によっておもり載置部３３とおもり載置部固定プレート４３と側板３２とが連結されることにより、昇降するエレベータ乗りかご１（図１参照）で停止することに伴ってエレベータ用つり合いおもり枠４１が停止したとき、おもり載置部３３がおもり８と共にバネ３４の弾性により揺れ動くことを防止することができる。これにより、おもり載置部３３及びおもり８の揺れがロープ６を介してエレベータ乗りかご１に伝わることを防止することができ、ロープ６を介して伝わった揺れによってエレベータ乗りかご１が揺れるということを防止することができる。
【００５１】
（第５の実施の形態）
本発明の第５の実施の形態に係るエレベータ用つり合いおもり枠の構造を、図１１及び図１２に基づいて説明する。
【００５２】
第５の実施の形態に係るエレベータ用つり合いおもり枠５１は、床板９と、コの字形に形成されてコの字形のへこみ側を対向させて床板９に立設された一対の側板３２と、一対の側板３２の間に配置されて床板９に対して接離する方向に移動可能なおもり載置部５２と、おもり載置部５２を貫通して床板に立設されるネジ棒５３と、床板９とおもり載置部５２との間に配置されてネジ棒５３に螺合され、おもり載置部５２の床板９に対向する面に当接する外形寸法を有する回転操作体５４を備えている。
【００５３】
側板３２は、第３の実施の形態において説明した側板３２と同じであり、平面視形状がコの字形に折り曲げ形成され、その下端部が床板９の長手方向の両端部に溶接され、側板３２の上端側にはおもり挿入部３５が形成されている。
【００５４】
おもり載置部５２は、一対の側板３２の間に位置して床板９に対して接離する方向に移動可能な寸法に形成された板状部材である。エレベータ用つり合いおもり枠５１に載置されるおもり８ａは、おもり載置部５２の上に順次載置される。
【００５５】
第５の実施の形態に係るエレベータ用つり合いおもり枠５１に載置されるおもり８ａは、図１２に示すように、ネジ棒５３が挿通される切り欠き５５が形成されている。
【００５６】
ネジ棒５３は、一端が床板９に連結され、他端が取付枠１３に連結され、床板９に対して直交する向きに立設されている。
【００５７】
ネジ棒５３が貫通されたおもり載置部５２は、ネジ棒５３に螺合された回転操作体５４の上に載置されている。これにより、回転操作体５４を回転操作することにより回転操作体５４はネジ棒５３に沿って上下動し、回転操作体５４が上下動することに伴っておもり載置部５２が回転操作体５４と一体に上下動する。これにより、回転操作体５４を回転操作することによりおもり載置部５２を上下動させることができ、おもり８ａが載置されていないおもり載置部５２を図１１に示すようにおもり挿入部３５の位置より僅かに下側に位置させることができる。さらに、おもり載置部５２におもり８ａが載置されるごとに回転操作体５４を回転操作し、おもり載置部５２に載置されている最上位のおもり８ａをおもり挿入部３５の僅かに下側に位置させることができる。
【００５８】
このような構成において、エレベータ用つり合いおもり枠５１に一枚目のおもり８ａを載置する場合は、回転操作体５４を回転操作することによりおもり載置部５２を上下動させ、おもり載置部５２を図１１に示すようにおもり挿入部３５の位置より僅かに下側に位置させておく。ついで、水平向きにしたおもり８ａをおもり挿入部３５から挿入する。おもり挿入部３５から挿入されたおもり８ａは、挿入後にそのおもり８ａを下げるという作業を行うことなくおもり載置部５２に載置される。
【００５９】
一枚目のおもり８ａがおもり載置部５２に載置された後、回転操作体５４を回転操作しておもり載置部５２を下方（床板９側）へ移動させる。このときの移動寸法を一枚のおもり８ａの厚み寸法と略同じとなるように調整することにより、おもり載置部５２に載置された一枚目のおもり８ａの上面部を、おもり挿入部３５の位置より僅かに下側に位置させることができる。このため、二枚目のおもり８ａをエレベータ用つり合いおもり枠５１に載置する場合に、二枚目のおもり８ａをおもり挿入部３５から挿入すると、二枚目のおもり８ａが一枚目のおもり８ａの上に載置される。同様にして、一枚のおもり８ａを載置するたびに載置するおもり８ａの厚み寸法分ずつおもり載置部５２を下げることにより、おもり載置部５２に載置された最上位のおもり８ａの上面部をおもり挿入部３５の位置より僅かに下側に位置させることができる。
【００６０】
このため、おもり挿入部３５から挿入されたおもり８ａが載置される位置は、常におもり挿入部３５の位置より僅かに下側となる。このため、エレベータつり合いおもり枠５１におもり８ａを載置する場合に、一対の側板３２の間に水平向きにおもり８ａを挿入するだけでよく、挿入したおもり８ａを下ろすという作業が不要となる。したがって、エレベータ用つり合いおもり枠５１におもり８ａを載置する作業の作業能率を向上させることができ、また、載置する作業の途中で手を滑らせておもり８ａを落とすという事故の発生を防止することができる。
【００６１】
必要な枚数のおもり８ａをおもり挿入部３５から挿入することにより、エレベータ用つり合いおもり枠５１へのおもり８ａの載置作業が終了する。載置されたおもり８ａは、その長手方向の両端部が側板３２のコの字形のへこみ部に嵌合されて両端保持状態となり、おもり８ａはエレベータ用つり合いおもり枠５１に安定して保持される。
【図面の簡単な説明】
【００６２】
【図１】本発明の第１の実施の形態に係るエレベータ用つり合いおもり枠を備えたエレベータの概略を示す正面図である。
【図２】本発明の第１の実施の形態に係るエレベータ用つり合いおもり枠を含むエレベータ用つり合いおもり装置を示す正面図である。
【図３】そのエレベータ用つり合いおもり枠を示す平面図である。
【図４】取付片を外したエレベータ用つり合いおもり枠におもりを載置する状態を示す平面図である。
【図５】本発明の第２の実施の形態に係るエレベータ用つり合いおもり枠を含むエレベータ用つり合いおもり装置を示す正面図である。
【図６】そのエレベータ用つり合いおもり枠を示す平面図である。
【図７】回動片を開放位置に回動させたエレベータ用つり合いおもり枠におもりを載置する常態を示す平面図である。
【図８】本発明の第３の実施の形態に係るエレベータ用つり合いおもり枠を含むエレベータ用つり合いおもり装置を示す正面図である。
【図９】そのエレベータ用つり合いおもり枠を示す平面図である。
【図１０】本発明の第４の実施の形態に係るエレベータ用つり合いおもり枠を含むエレベータ用つり合いおもり装置を示す正面図である。
【図１１】本発明の第５の実施の形態に係るエレベータ用つり合いおもり枠を含むエレベータ用つり合いおもり装置を示す正面図である。
【図１２】おもりの形状を示す平面図である。
【図１３】従来例のエレベータ用つり合いおもり枠を含むエレベータ用つり合いおもり装置を示す正面図である。
【図１４】そのエレベータ用つり合いおもり枠を示す平面図である。
【図１５】同じエレベータ用つり合いおもり枠を用いた他のエレベータ用つり合いおもり装置を示す正面図である。
【符号の説明】
【００６３】
７      エレベータ用つり合いおもり枠
８      おもり
８ａ    おもり
９      床板
１０      側板
１１      取付片
２１      エレベータ用つり合いおもり枠
２２      ヒンジ
２３      回動片
３１      エレベータ用つり合いおもり枠
３２      側板
３３      おもり載置部
３４      バネ
３５      おもり挿入部
４１      エレベータ用つり合いおもり枠
４２      ロック機構
５１      エレベータ用つり合いおもり枠
５２      おもり載置部
５３      ネジ棒
５４      回転操作体
【図１】
2007062904.tif 000003
【図２】
2007062904.tif 000004
【図３】
2007062904.tif 000005
【図４】
2007062904.tif 000006
【図５】
2007062904.tif 000007
【図６】
2007062904.tif 000008
【図７】
2007062904.tif 000009
【図８】
2007062904.tif 000010
【図９】
2007062904.tif 000011
【図１０】
2007062904.tif 000012
【図１１】
2007062904.tif 000013
【図１２】
2007062904.tif 000014
【図１３】
2007062904.tif 000015
【図１４】
2007062904.tif 000016
【図１５】
2007062904.tif 000017